(57)【要約】【課題】雄側面ファスナーの係合鉤体の植設数量を低減しても結合効果が強化でき、かつ生産コストを低減できる面ファスナー部材を提供する。【解決手段】一方の基材表面１０ａに植設された多数の係合鉤体１１を有する雄側面ファスナー１０と、他方の基材表面３０ａに植設された多数のループ３１を備えた雌側面ファスナー３０とからなる面ファスナー部材であって、前記係合鉤体１１は、頂端部に円弧状爪体１２と円錐状突起体１３を交差させて十字形状となるように一体形成し、一個一個の前記係合鉤体１１の円弧状爪体１２と円錐状突起体１３とが雌側面ファスナー３０に多数植設されたループ３１の複数個とそれぞれ係合できるようにし、係合鉤体１１の植設数量が少ない場合であっても結合効果が強化され、生産コストが低減できるように構成した。【選択図】図３
0003108746.tif 000002
【実用新案登録請求の範囲】
【請求項１】
一方の基材表面に植設された多数の係合鉤体を有する雄側面ファスナーと、他方の基材表面に植設された多数のループを備えた雌側面ファスナーとからなる面ファスナー部材であって、
前記係合鉤体は、頂端部に円弧状爪体と円錐状突起体とを互いに交差させて十字形状となるように一体形成し、一個一個の前記係合鉤体の円弧状爪体と円錐状突起体とが前記雌側面ファスナーに多数植設されたループの複数個とそれぞれ係合できるようにし、前記係合鉤体の植設数量を少なくしても互いの結合効果が強化され、生産コストが低減できるようにしたことを特徴とする面ファスナー部材。
【考案の詳細な説明】
【技術分野】
【０００１】
本考案は面ファスナー部材（マジックテープ（登録商標））の改良構造に係り、特に、基材表面に多数植設された一個一個の係合鉤体が、他方の基材表面に多数配設されたループの複数個と係合するようにした構成とすることにより、結合効果をより強化できるようにした面ファスナー部材に関するものである。
【背景技術】
【０００２】
現在、生産技術の迅速な発展に伴って、面ファスナー部材は国民生活に広汎に適用されるようになってきており、例えば、衣服・靴・鞄などの締め付け手段として面ファスナー部材が多々使用されている。
従来の面ファスナー部材は、一方の基材表面に植設された多数の係合鉤体からなる雄側面ファスナーと、他方の基材表面に植設された多数のループが設けられた雌側面ファスナーとから構成されたものであり、前記雄側面ファスナーと雌側面ファスナーとを、一対一の関係で互いに係合することで着脱可能に結合できるようになっている。
【考案の開示】
【考案が解決しようとする課題】
【０００３】
しかしながら、従来の雄側面ファスナーの基材表面に植設された一個一個の係合鉤体の膨頭部は、爪部が単一方向だけに形成された構成であるため、ループが多数設けられた他方の雌側面ファスナーに係合して結合する場合にファスナーの係合力を充分なものにするために、各面それぞれに係合鉤体とループとを多数びっしりと密接して設けることが必要となり、そのため、面ファスナー部材の製造コストが上昇する。
また、雄側面ファスナーの基材表面に対する係合鉤体の植設数量が充分でない場合には、雌側面ファスナーとの良好な結合効果が得られないという問題点がある。
【課題を解決するための手段】
【０００４】
本願考案の面ファスナー部材は、上記の問題点を解決するためになされたもので、一方の基材表面に植設された多数の係合鉤体を有する雄側面ファスナーと、他方の基材表面に植設された多数のループを備えた雌側面ファスナーとからなる面ファスナー部材であって、前記係合鉤体は、頂端部に円弧状爪体と円錐状突起体を交差させて十字形状となるように一体形成し、一個一個の前記係合鉤体の円弧状爪体と円錐状突起体とが前記雌側面ファスナーに多数植設されたループの複数個にそれぞれ係合できるようにし、前記雄側面ファスナー全体に対する係合鉤体の植設数量を少なくしても充分に結合効果が強化され、生産コストが低減できるようにしたことを特徴とする。
【考案の効果】
【０００５】
本考案に係る面ファスナー部材の構造によれば、雄側面ファスナーに係合鉤体を植設する数量を少なくした場合にあっても、一個一個の係合鉤体が雌側面ファスナーのループの複数個とそれぞれ結合することが可能となり、面ファスナーの結合効果が強化される。
また、雄側面ファスナーの係合鉤体の植設数量を減らせることで、面ファスナー部材としての生産コストが低減できる。
【考案を実施するための最良の形態】
【０００６】
以下、添付図面を参照して本考案の好適な実施の形態を詳細に説明する。
尚、下記実施例は、本考案の好適な実施形態を示したものに過ぎず、本考案の技術的範囲は、下記実施例そのものに限定されるものではない。
【実施例】
【０００７】
まず、図１乃至図４を参照する。
図１は本考案の面ファスナー部材の一実施例を示す雄側面ファスナーの係合鉤体の斜視図であり、図２は本考案の面ファスナー部材の一実施例を示す雄側面ファスナーと雌側面ファスナーの側断面図であり、図３は本考案の面ファスナー部材の一実施例を示す使用状態を示す側断面図であり、図４は本考案の面ファスナー部材の一実施例を示す雄側面ファスナーの斜視図である。
【０００８】
本考案に係る面ファスナー部材は、雄側面ファスナー１０と、雌側面ファスナー３０とからなり、前記雌側面ファスナー３０には、雄側面ファスナー１０の基材表面１０ａに設けた係合鉤体１１と結合し固定するための多数のループ３１が設けてある。
【０００９】
前記係合鉤体１１は、頂端部が円弧状爪体１２と円錐状突起体１３を交差させて十字形状となるように一体形成したもので、雄側面ファスナー１０の基材表面１０ａに多数植設されているが、従来技術の面ファスナーの雄側面に対する植設数量よりも相当数減らして製造されてある。
【００１０】
各雄側面ファスナー１０の係合鉤体１１が、円弧状爪体１２と円錐状突起体１３とが十字形状に形成された構造を個々に有することで、ファスナーが閉められたとき、図３によく示されているように、一個一個の係合鉤体１１が、前記雌側面ファスナー３０の基材表面３０ａに植設されている多数のループ３１の複数個とそれぞれ係合することができるようになり、雄側面ファスナー１０と雌側面ファスナー３０とが互いに固着結合することが可能となる。
【００１１】
したがって、雄側面ファスナー１０側の係合鉤体１１の植設数量を少なくしても、その十字形構造により雄側面ファスナー１０と雌側面ファスナー３０との互いの結合効果を強化することができるようになるため、雄側面ファスナー１０の基材表面１０ａに植設する係合鉤体１１の数を低減しても、従来通りのファスナー効果を充分に有することができると同時に、係合鉤体１１の植設数量を減らすことにより、ファスナーとしての生産コストも併せて低減できるものである。
【図面の簡単な説明】
【００１２】
【図１】本考案の面ファスナー部材の一実施例を示す雄側面ファスナーの係合鉤体の斜視図。
【図２】本考案の面ファスナー部材の一実施例を示す雄側面ファスナーと雌側面ファスナーの側断面図。
【図３】本考案の面ファスナー部材の一実施例を示す使用状態を示す側断面図。
【図４】本考案の面ファスナー部材の一実施例を示す雄側面ファスナーの斜視図。
【符号の説明】
【００１３】
１０      雄側面ファスナー
１０ａ    基材表面
１１      係合鉤体
１２      円弧状爪体
１３      円錐状突起体
３０      雌側面ファスナー
３０ａ    基材表面
３１      ループ
【図１】
0003108746.tif 000003
【図２】
0003108746.tif 000004
【図３】
0003108746.tif 000005
【図４】
0003108746.tif 000006